(57)【要約】ソックを形成する部材よりも伸び難くソックの内側面または外側面に付着し内側または外側のハトメ飾りからソールまで延びる内側または外側の補強材を備え、外側の補強材は、第５基節骨を側面から覆う第１補強部と、第５中足骨の骨体もしくは骨底を側面から覆う第２補強部とを包含し、内側の補強材は、母趾球を側面から覆う第３補強部を包含し、少なくとも１つの補強部の幅は当該補強部の上端部に比べ下端部が小さい。
2015151195.tif 000002
【特許請求の範囲】
【請求項１】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さい。
【請求項２】
請求項１のアッパーにおいて、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さい。
【請求項３】
請求項１のアッパーにおいて、
前記外側の縁部７Ｌにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した外側の柔領域ＬＳと、
前記内側の縁部７Ｍにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。
【請求項４】
請求項２のアッパーにおいて、
前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さい。
【請求項５】
請求項４のアッパーにおいて、
前記第３補強部３の延びる方向に沿った中心線Ｃ３は、前記ソール８に向かって斜め後方の下方に延びている。
【請求項６】
請求項４もしくは５のアッパーにおいて、
前記第３補強部３の延びる方向に沿った中心線Ｃ３と前記水平線のなす角Ｋ３よりも前記第４補強部４の中心線Ｃ４と前記水平線のなす角Ｋ４の方が小さい。
【請求項７】
請求項２，４，５もしくは６のアッパーにおいて、
前記第４補強部４の後端のライン４１が前記第２補強部２の後端のライン２１よりも前傾しており、
前記第４補強部４の後端のライン４１の下端４Ｅが、前記第２補強部２の後端のライン２１の下端２Ｅよりも後方に配置され、
前記第４補強部４が踵骨ＢＣの下部の前部を側面から覆う。
【請求項８】
請求項２，４，５，６もしくは７のアッパーにおいて、
前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい。
【請求項９】
請求項２又は４〜８のいずれか１項において、
前記第３補強部３は幅を有し、前記第３補強部３の上端部の幅Ｗ３１に比べ第３補強部３の下端部の幅Ｗ３０が小さい。
【請求項１０】
請求項２又は４〜９のいずれか１項において、
前記第２補強部２は幅を有し、前記第２補強部２の上端部の幅Ｗ２１に比べ第２補強部２の下端部の幅Ｗ２０が小さい。
【請求項１１】
請求項２又は４〜１０のいずれか１項において、
前記第１補強部１は幅を有し、前記第１補強部１の上端部の幅Ｗ１１に比べ第１補強部１の下端部の幅Ｗ１０が小さい。
【請求項１２】
請求項２において、
前記第３補強部３の前記幅は前記第３補強部３の上端部に比べ下端部が小さく、
前記第２補強部２の前記幅は前記第２補強部２の上端部に比べ下端部が小さく、
前記第１補強部１の前記幅は前記第１補強部１の上端部に比べ下端部が小さい。
【請求項１３】
請求項１２のアッパーにおいて、
前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい。
【請求項１４】
請求項２のアッパーにおいて、
前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さく、
前記第４補強部４の後端のライン４１が前記第２補強部２の後端のライン２１よりも前傾しており、
前記第４補強部４の後端のラインの下端４Ｅが、前記第２補強部２の後端のライン２１の下端２Ｅよりも後方に配置され、
前記第４補強部４が踵骨ＢＣの下部の前部を覆う。
【請求項１５】
請求項１〜１４のいずれか１項のアッパーにおいて、
前記複数の孔Ｈは足の外側および内側のそれぞれについて４個以上設けられ、
前記外側または内側の前記４個以上の孔Ｈのうち複数の孔Ｈに対峙するように、前記各補強部１〜４の上端部の幅が設定されている。
【請求項１６】
靴のアッパーであって、
ソック５と、
前記ソック５の足幅方向の中央寄りの縁５Ｅにそれぞれ配置され前記ソック５を形成する部材よりも伸び難い外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さい。
【請求項１７】
請求項１、２または１６のアッパーにおいて、
前記外側の縁部７Ｌにおける小趾球の前端および外踝の後端から前記外側面に沿って、かつ、鉛直面に沿って下した２本の仮想線の間において前記ソック５を形成する部材が露出した外側の柔領域ＬＳと、
前記内側の縁部７Ｍにおける母趾球の前端および内踝の後端から前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。
【発明の詳細な説明】
【技術分野】
【０００１】
本発明は靴のアッパーの改良に関する。
【背景技術】
【０００２】
靴には着用時のフィット性だけでなく、軽量性や足当たりの良さ等、様々な機能が求められる。アッパーは足当たりの良さを考慮し、メッシュ材のように柔らかい素材で作製されていることが多い。メッシュ等の柔らかい素材、すなわち低剛性材料で作られたアッパーは、紐やベルト等を締めた際に発生する緊締力をアッパー全体に分布させることができず、フィット性を発現しにくい。【０００３】
低剛性のアッパーのフィット性を向上させるためには、より高剛性の材料でアッパーを補強し、発生する緊締力をアッパー全体に伝達させる必要がある。これまでに発売されている靴では、緊締力の伝達を考慮して高剛性の補強材がアッパーに配置されているものはあるが、補強材の形状、量によっては、軽量性やフィット性を損なう場合も多い。
【先行技術文献】
【特許文献】
【０００４】
【特許文献１】ＷＯ  ２００１／０８２７３５（フロントページ）
【特許文献２】ＪＰ２００３−２４１０８Ａ（フロントページ）
【特許文献３】ＪＰ０２−５９０３Ａ（ＦＩＧ１）
【特許文献４】ＪＰ１１−２０１（フロントページ）
【特許文献５】ＪＰ６０−２２７７０１（ＦＩＧ１，ＦＩＧ２）
【発明の概要】
【０００５】
靴の着用時のフィット性を向上させるためには、シューレースやベルト等の締付部材を締めた際に発生する緊締力をアッパー全体に分布させたり、アッパーを着用者の足の形状に合わせたりする必要がある。
【０００６】
従来の靴においては、シューレース、ベルト等を締めた際の緊締力をアッパー全体に伝達するため、多くの補強材を配置しており、軽量性を発現しにくい。また、アッパーの上下方向に延びる補強材において、上端の幅に比べソール側の下端の幅が同じか又は大きい。そのため、着用者が靴紐、ベルト等を締めた際、補強材があまり自由に変形することができず、アッパーが着用者の足の形状にフィットし難い。
【０００７】
したがって、本発明の目的は軽量化とフィット性の向上を図り得る靴のアッパーを提供することである。
【０００８】
すなわち、本靴のアッパーは、一つの局面において、ソック５と、前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さい。
本発明において、「少なくとも１つの補強材が第１補強部と第２補強部とを包含する」とは、「少なくとも１つの補強材が第１補強部と第２補強部との両方を包含する」形態や「少なくとも１つの補強材が第１補強部を包含し、それとは別の少なくとも１つの補強材が第２補強部を包含する」形態等を含むことを意味する。
【０００９】
本発明によれば、少なくとも１つの補強部の下端部の幅は、上端部のそれよりも小さい。アッパー上縁からソールまたはヒールカウンタまで延びる補強材はハトメ飾り７Ｌ，７Ｍに作用するシューレースの力をアッパー全体に分布させるだろう。また、上端部の幅よりも下端部の幅が小さい補強部はソールまたはヒールカウンタに拘束されている幅が小さく、そのため、比較的自由に変形することができるだろう。
したがって、アッパーが着用者の足の形状にフィットし易く、かつ、補強材が第５基節骨、第５中足骨、母趾球の少なくとも一部という必要最低限の箇所に配置され、その結果として補強材の面積が小さくなることで、軽量化が図られるだろう。
【００１０】
第１補強部１が第５基節骨Ｂ５０を覆い第２補強部２が第５中足骨Ｂ５１の骨体および／又は骨底を覆う。そのため、アッパーは小さな補強材で足の外側を効率良く支持して、足の外側にフィットし易く、かつ、補強材の面積が小さくなることで、軽量化が図られるだろう。
一方、第３補強部３は母趾球Ｏ１の側面を覆う。そのため、小さな補強材で足の内側を効率良く支持すると共に足の内側にフィットし易く、かつ、補強材の面積が小さくなることで、軽量化が図られるだろう。
【００１１】
本靴のアッパーは、別の局面において、ソック５と、前記ソック５の足幅方向の中央寄りの縁５Ｅにそれぞれ配置され前記ソック５を形成する部材よりも伸び難い外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さい。
この場合も、前記一つの局面と同様の効果を奏するかもしれない。
前記「別の局面」においては、シューレースを含む締付部材が備えられていてもよい。たとえば、締付部材としては、シューレースの他に非伸縮性または伸縮性のベルト部材が採用されてもよい。ベルト部材が採用される場合、ベルトの本数は１本または２本以上設けられてもよい。
本発明において、靴がシューレースを有する場合、前記縁部７Ｌ，７Ｍは、たとえばハトメ飾りで形成されていてもよいし、筒状のループで形成されていてもよい。一方、靴のアッパーがベルトで締め付けられシューレースで締め付けられない場合、前記縁部７Ｌ，７Ｍとしては前記補強材と同じか又は近似した素材を用いることができ、前記ソック５よりも伸び難い素材を用いることができる。
【００１２】
なお、骨底とは各骨における後方の関節に近い部位で若干太く膨らんだ部位をいい、近位骨頭とも呼ばれている。一方、骨頭とは各骨における前方の関節に近い部位で若干太く膨らんだ部位をいい、遠位骨頭とも呼ばれている。また、骨体とは前記骨底と骨頭との間の部位をいい、一般に滑らかに太さが変化している。
【００１３】
本発明において、各補強部の上端部とは、概して、各補強部を上下に３等分した最も上の１／３の部分を意味し、一方、各補強部の下端部とは各補強部を上下に３等分した最も下の１／３の部分を意味する。
本発明において、「補強部の幅」は、前記シューレース６が通る複数の孔Ｈが内側または外側において１列に滑らかに並んでいる場合、前記複数の孔Ｈが並んでいる方向の幅を意味すると解することができる。
一方、前記複数の孔Ｈが内側または外側において千鳥状に並んでいる場合など全ての場合において前記「補強部の幅」は、各補強部が延びる方向に沿った中心線Ｃ１〜Ｃ４に直交する方向の幅を意味すると解することができる。
前記各補強部１〜４の前端または後端のラインが滑らかでない場合などにおいては、「補強部の上端部の幅」は前記最も上の１／３の部分の平均値が採用され、「補強部の下端部の幅」は前記最も下の１／３の部分の平均値が採用されてもよい。
【図面の簡単な説明】
【００１４】
【図１】図１Ａは本発明の実施例１を示す靴の外側面図、図１Ｂは同靴の内側面図である。
【図２】図２Ａは本発明の実施例２を示す靴の外側面図、図２Ｂは同靴の内側面図である。
【図３】図３Ａは本発明の実施例３を示す靴の外側面図、図３Ｂは同靴の内側面図である。
【図４】図４Ａは本発明の実施例４を示す靴の外側面図、図４Ｂは同靴の内側面図である。
【図５】図５Ａは本発明の実施例５を示す靴の外側面図、図５Ｂは同靴の内側面図である。
【図６】図６Ａは本発明の実施例６を示す靴の外側面図、図６Ｂは同靴の内側面図である。
【図７】図７Ａは本発明の実施例７を示す靴の外側面図、図７Ｂは同靴の内側面図である。
【図８】図８Ａは本発明の実施例８を示す靴の外側面図、図８Ｂは同靴の内側面図である。
【図９】図９Ａは本発明の実施例９を示す靴の外側面図、図９Ｂは同靴の内側面図である。
【図１０】図１０Ａは本発明の実施例１０を示す靴の外側面図、図１０Ｂは同靴の内側面図である。
【図１１】図１１はシューレースの締付により作用する緊締力の方向を示すアッパーの模式的な平面図である。
【図１２】図１２Ａは比較例を示す靴の外側面図、図１２Ｂは同靴の内側面図、図１２Ｃは評価方法を示す靴の模式的な断面図である。
【図１３】評価結果を示す棒グラフである。
【図１４】図１４Ａは本発明の実施例１１を示す靴の外側面図、図１４Ｂは同靴の内側面図である。
【発明を実施するための形態】
【００１５】
本発明の１つの局面または別の局面においては、各々、以下の好ましい例を１つ又は組み合わせて採用することができ、少なくとも請求の範囲において従属請求項とした内容は前記別の局面にも採用することができる。
例えば、好ましくは、前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さい。
【００１６】
この場合、第４補強部４は舟状骨ＢＳを覆い、そのため、アッパーが小さな補強材で中足部にもフィットし易く、かつ、補強材の面積が小さくなることで、軽量化が図られるだろう。また、上端部の幅よりも下端部の幅が小さい第４補強部４はソールまたはヒールカウンタに拘束されている幅が小さく、そのため、比較的自由に変形することができるだろう。したがって、アッパーが着用者の足の形状にフィットし易いだろう。
【００１７】
好ましくは、前記外側の縁部７Ｌにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した外側の柔領域ＬＳと、
前記内側の縁部７Ｍにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。
【００１８】
この場合、足の外側に比べ凹凸形状が複雑な足の内側には外側の柔領域ＬＳよりも大きい内側の柔領域ＭＳが設けられており、したがって、内側においてアッパーがフィットし易い。一方、外側の柔領域ＡＬの面積は、内側のそれよりも小さく、内側に比べ凹凸形状が単純な外側において、大きな面積の補強材を含むアッパーでも足にフィットするだろう。
【００１９】
好ましくは、前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さい。
【００２０】
この場合、第４補強部４は第１および第２補強部１，２よりも前傾姿勢で大きく傾いて配置されている。すなわち、第４補強部４は舟状骨ＢＳから斜め後方の下方に向かって延びている。そのため、足の側面形状が外側よりも複雑な内側において、シューレース、ベルト等の締め付け力がより後方まで伝達される。すなわち、アッパーは内側のより後方の範囲においてもフィットし易い。
【００２１】
好ましくは、前記第３補強部３の延びる方向に沿った中心線Ｃ３は、前記ソール８に向かって斜め後方の下方に延びている。
【００２２】
この場合、第３補強部３は前傾姿勢で配置されている。そのため、前足の内側において第１基節骨の骨底を上方から覆うことができるだろう。
【００２３】
好ましくは、前記第３補強部３の延びる方向に沿った中心線Ｃ３と前記水平線のなす角Ｋ３よりも前記第４補強部４の中心線Ｃ４と前記水平線のなす角Ｋ４の方が小さい。
【００２４】
この場合、足の内側において、第４補強部４は第３補強部３よりも大きく前傾している。そのため、第４補強部４の下端部が後方に位置し、第３補強部３と第４補強部４との間にソックで覆われた大きな柔領域ＭＳが形成される。したがって、形状が複雑な足の内側に対し、シューレース、ベルト等の締め付け力が作用する。
【００２５】
好ましくは、前記第４補強部４の後端のライン４１が前記第２補強部２の後端のライン２１よりも前傾しており、
前記第４補強部４の後端のライン４１の下端４Ｅが、前記第２補強部２の後端のライン２１の下端２Ｅよりも後方に配置され、
前記第４補強部４が踵骨ＢＣの下部の前部を側面から覆う。
【００２６】
一般に、足の内側Ｍの踝の真下の部位は足の外側Ｌに比べ微妙に括れており、前記部位においてアッパーとの間に隙間が生じ易い。本例の場合、大きく前傾した第４補強部４は踵骨ＢＣの下部の前部を覆う。そのため、前記部位において、アッパーが足にフィットし易いだろう。
【００２７】
好ましくは、前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい。
【００２８】
この場合、足の外側に比べ凹凸形状が複雑な足の内側には外側の柔領域ＬＳよりも大きい内側の柔領域ＭＳが設けられており、したがって、内側においてアッパーがフィットし易い。一方、外側の柔領域ＡＬの面積は、内側のそれよりも小さく、内側に比べ凹凸形状が単純な外側において、大きな面積の補強材を含むアッパーでも足にフィットするだろう。
【００２９】
本発明において、補強材は上端部に比べ下端部が小さい１以上の補強部を備える。
例えば、前記第３補強部３は前記幅を有し、前記第３補強部３の上端部の幅Ｗ３１に比べ第３補強部３の下端部の幅Ｗ３０が小さい。
あるいは、前記第２補強部２は前記幅を有し、前記第２補強部２の上端部の幅Ｗ２１に比べ第２補強部２の下端部の幅Ｗ２０が小さい。
あるいは、前記第１補強部１は前記幅を有し、前記第１補強部１の上端部の幅Ｗ１１に比べ第１補強部１の下端部の幅Ｗ１０が小さい。
また、これらのうちの２以上の補強部において上端部の幅に比べ下端部の幅が小さくてもよい。
【００３０】
更に好ましくは、前記第３補強部３の前記幅は前記第３補強部３の上端部に比べ下端部が小さく、
前記第２補強部２の前記幅は前記第２補強部２の上端部に比べ下端部が小さく、
前記第１補強部１の前記幅は前記第１補強部１の上端部に比べ下端部が小さい。
この場合、アッパーのフィット性の向上および軽量化がより一層図られるだろう。
【００３１】
更に、好ましくは、前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい。
この場合、前記効果が最大限に図られるだろう。
【００３２】
好ましくは、前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さく、
前記第４補強部４の後端のライン４１が前記第２補強部２の後端のライン２１よりも前傾しており、
前記第４補強部４の後端のラインの下端４Ｅが、前記第２補強部２の後端のライン２１の下端２Ｅよりも後方に配置され、
前記第４補強部４が踵骨ＢＣの下部の前部を覆う。
【００３３】
好ましくは、本アッパーは前記複数の孔Ｈは足の外側および内側のそれぞれについて４個以上に設けられ、
前記外側または内側の前記４個以上の孔Ｈのうち複数の孔Ｈに対峙するように前記各補強部１〜４の上端部の幅が設定されている。
【００３４】
この場合、各補強部１〜４には、それぞれ、複数の孔Ｈに挿通されたシューレース６によりハトメ飾り７Ｌ，７Ｍを介して張力が作用する。複数の孔Ｈに対峙した上端部を持つ補強部に作用する張力の方向は安定し易いであろう。
この場合、大きく前傾した第４補強部４が踵骨ＢＣの下部の前部を覆う。そのため、通常足沿いの良くない踵骨ＢＣの下部の前部のフィット性が向上するだろう。
【００３５】
前記外側の縁部７Ｌにおける小趾球の前端および外踝の後端から前記外側面に沿って、かつ、鉛直面に沿って下した２本の仮想線の間において前記ソック５を形成する部材が露出した外側の柔領域ＬＳと、
前記内側の縁部７Ｍにおける母趾球の前端および内踝の後端から前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。
この場合、足の外側に比べ凹凸形状が複雑な足の内側には外側の柔領域ＬＳよりも大きい内側の柔領域ＭＳが設けられており、したがって、内側においてアッパーがフィットし易い。一方、外側の柔領域ＡＬの面積は、内側のそれよりも小さく、内側に比べ凹凸形状が単純な外側において、大きな面積の補強材を含むアッパーでも足にフィットするだろう。
【００３６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例】
【００３７】
以下、本発明の実施例が図面にしたがって説明される。図１Ａおよび１Ｂ〜図１０Ａおよび１０Ｂは、各々、実施例１〜１０を示す。【００３８】
まず、最も代表的な実施例である実施例２について説明する。
図２Ａおよび図２Ｂに示すように、アッパーＵはソール８の上に配置されている。【００３９】
ソール８は接地面を有するアウトソール８０と、アウトソール８０の上に配置された発泡体からなるミッドソール８１を備えていてもよい。なお、図１Ａ−図１０Ｂ、図１２および図１４において、ミッドソール８１には不規則な小さいドットが付されている。【００４０】
図２Ａおよび図２Ｂにおいて、前記アッパーＵはソック５、ハトメ飾り７Ｍ，７Ｌおよび補強材１〜４を備える。前記ハトメ飾り７Ｍ，７Ｌや補強材はアッパーＵの外表面に付着されていてもよいが、内部の表面（内表面）に付着されていてもよい。なお、図１Ａ−図１０Ｂおよび図１２において、前記ハトメ飾り７Ｍ，７Ｌおよび補強材には規則的なドットが付されている。【００４１】
図２Ａ−２Ｂのソック５は、織物、編物又は編状物の１または２以上の部材からなり、足の甲や踵を柔く包む。なお、ソック５は図示しない舌片を有していてもよい。【００４２】
外側および内側のハトメ飾り７Ｌ，７Ｍは、図１１の前記ソック５の開口５０の外側および内側の縁５Ｅにそれぞれ配置され、前記ソック５を形成する部材よりも伸び難く、着用時に締付力を発揮するシューレース６が通る複数の孔Ｈを定義する。前記外側および内側のハトメ飾り７Ｌ，７Ｍは、前端において互いに連なっていてもよいし、あるいは、互いに分離されていてもよい。【００４３】
ハトメ飾り７Ｌ，７Ｍは、図４〜図６に示すように、１又は、複数の切り欠き７Ｎを有していてもよい。更に、ハトメ飾り７Ｌ，７Ｍは図１４Ａ−１４Ｂのように単一の孔Ｈを有し、かつ、互いに分離されていてもよいし、複数の孔Ｈを有していてもよい。【００４４】
図２Ａ−２Ｂの前記ハトメ飾り７Ｌ，７Ｍを形成する素材としては、例えばテープ材や人工皮革、あるいは、これらの２以上の素材が採用されてもよい。シューレース６が通る複数の孔Ｈは前記人工皮革等に形成された小さな円形の孔であってもよいし、前記人工皮革等に縫い付けられたループ材であってもよい。
前記ソック５が例えば裏皮状の人工皮革が採用されている場合、前記縁部７Ｌ，７Ｍや補強材１は、前記裏皮状の人工皮革よりも伸び難い素材が採用されてもよい。【００４５】
図２Ａにおいて、外側の補強材は第１補強部１および第２補強部２を備える。一方、図２Ｂの内側の補強材は第３補強部３および第４補強部４を備える。【００４６】
図２Ａにおいて、第１補強部１および第２補強部２は、各々、前記ソック５を形成する部材よりも伸び難く、前記ソック５の外側面に付着し、前記外側のハトメ飾り７Ｌからミッドソール８１の上端まで延びる。一方、図２Ｂの第３補強部３および第４補強部４は、各々、前記ソック５を形成する部材よりも伸び難く、前記ソック５の内側面に付着し、前記内側のハトメ飾り７Ｍからミッドソール８１の上端まで延びる。【００４７】
図２Ａの第１補強部１は第５基節骨Ｂ５０の少なくとも一部を側面から覆う。第２補強部２は第５中足骨Ｂ５１の骨体もしくは骨底の少なくとも一部を側面から覆う。【００４８】
図２Ｂの第３補強部３は、母趾球Ｏ１の少なくとも一部を側面から覆う。第４補強部４は舟状骨ＢＳの少なくとも一部を側面から覆う。【００４９】
各補強部１〜４は、前記複数の孔Ｈが並ぶ方向の幅を有し、前記各補強部において上端部の幅に比べ下端部の幅が小さい。ここで、前記複数の孔Ｈが並ぶ方向とは、前記締付力を発揮するシューレース６が通る孔Ｈの並ぶ方向であり、したがって、履き口５９よりも前方Ｆに配置された孔Ｈの並ぶ方向を意味し、本例の場合、最後方の孔Ｈｒは前記複数の孔Ｈに含まれない。なお、履き口５９は着用中に脚が延び出ており、前方Ｆの前記開口５０に連なっている。【００５０】
すなわち、図２Ａの前記第１補強部１の上端部の幅Ｗ１１に比べ第１補強部１の下端部の幅Ｗ１０は小さい。前記第２補強部２の上端部の幅Ｗ２１に比べ第２補強部２の下端部の幅Ｗ２０は小さい。前記第３補強部３の上端部の幅Ｗ３１に比べ第３補強部３の下端部の幅Ｗ３０は小さい。前記第４補強部４の上端部の幅Ｗ４１に比べ第４補強部４の下端部の幅Ｗ４０は小さい。【００５１】
本例において、第１〜第４補強部１〜４の各々の上端部には、それぞれ、複数の孔Ｈが対峙している。なお、外側および内側のハトメ飾り７Ｌ，７Ｍには、それぞれ、４個以上の前記孔Ｈが設けられている。【００５２】
各補強部１〜４において、下端部の幅は上端部の幅の３０％〜９７％程度が好ましく、３５％〜９５％程度が更に好ましく、５０％〜８５％程度が最も好ましい。【００５３】
図２Ａおよび図２Ｂの各補強部１〜４の延びる方向は、孔Ｈに挿通されたシューレース６による緊締力に概ね平行であるのが好ましいだろう。すなわち、図１１の２点鎖線で示すシューレース６による合力Ｆｏが孔Ｈに作用する引張方向に概ね平行となるように、各補強部１〜４の延びる方向が設定されるのが好ましいだろう。フィット性向上に効果的な補強材の位置や形状は、緊締力がどのように作用するかにより判断すべきである。【００５４】
図２Ａ−２Ｂにおいて、前記各補強部１〜４は、それぞれ、各補強部１〜４が延びる方向に一致する仮想の中心線Ｃ１〜Ｃ４を有する。前記各幅が前記複数の孔Ｈが並ぶ方向に測定しにくい場合には、前記各幅は前記中心線Ｃ１〜Ｃ４に直交する方向に測られてもよいであろう。【００５５】
前記各補強部１〜４の延びる方向に沿った中心線Ｃ１〜Ｃ４は、前記ソール８に向かって斜め後方の下方に延びている。図２Ａの前記第１及び第２補強部１，２の各々の延びる方向に沿った中心線Ｃ１，Ｃ２と前記ソール８のなす角Ｋ１及びＫ２よりも、図２Ｂの前記第４補強部４の前記中心線Ｃ４と前記ソール８のなす角Ｋ４の方が小さい。また、前記第３補強部３の中心線Ｃ３と前記ソール８のなす角Ｋ３よりも前記第４補強部４の前記中心線Ｃ４と前記ソール８のなす角Ｋ４の方が小さい。
ソール８の表面が水平面または水平面に近い場合、前記各角Ｋ１〜Ｋ４は各中心線Ｃ１〜Ｃ４とソール８の表面との間の角度とすることができる。一方、ソール８の表面が大きく湾曲している場合や凹凸がある場合には、前記各角Ｋ１〜Ｋ４は各中心線Ｃ１〜Ｃ４と水平線のなす角となる。【００５６】
図２Ａおよび２Ｂにおいて、前記各補強部１〜４の各前端のライン１０，２０，３０，４０は前傾姿勢に設定されている。また、前記第２〜第４補強部２〜４の各後端のライン２１，３１，４１は前傾姿勢に設定されている。【００５７】
前記第４補強部４の後端のライン４１は前記第２補強部２の後端のライン２１よりも大きく前傾している。前記第４補強部４の後端のライン４１の下端４Ｅは、前記第２補強部２の後端のライン２１の下端２Ｅよりも後方に配置されている。【００５８】
したがって、前記第４補強部４は踵骨ＢＣの下部の前部を側面から覆い、第４補強部４が踵骨ＢＣを覆う面積は第２補強部２が踵骨ＢＣを覆う面積よりも大きい。なお、第２補強部２は踵骨ＢＣを全く覆わない場合もある。【００５９】
図２ＡのアッパーＵは前記外側面の前記第１補強部１と前記第２補強部２との間において前記ソック５を形成する部材が露出した外側の柔領域ＬＳを有する。同様に、図２ＢのアッパーＵは前記内側面の前記第３補強部３と前記第４補強部４との間において前記ソック５を形成する部材が露出した内側の柔領域ＭＳを有する。
前記内側の柔領域ＭＳの面積は図２Ａの前記外側の柔領域ＬＳの面積よりも大きい。【００６０】
つぎに、他の例について説明する。
以下の例においては実施例２と異なる部分について主に説明する。【００６１】
図１Ａおよび図１Ｂに示す本例１は前記第４補強部４を有していない。
本例１の場合、図１Ａの外側の柔領域ＬＳは、前記外側のハトメ飾り７Ｌにおける前記シューレース６が通る複数の孔Ｈのうち最も前方Ｆおよび後方Ｒの孔Ｈから前記外側面に沿って、かつ、鉛直面に沿って下した２本の仮想線ＶＬの間において前記ソック５を形成する部材が露出した領域を意味する。一方、図１Ｂの内側の柔領域ＭＳは前記内側のハトメ飾り７Ｍにおける前記シューレース６が通る複数の孔Ｈのうち最も前方Ｆおよび後方Ｒの孔Ｈから前記外側面に沿って、かつ、鉛直面に沿って下した２本の仮想線ＶＬの間において前記ソック５を形成する部材が露出した領域を意味する。本例の場合も、前記外側の柔領域ＬＳの面積に比べ前記内側の柔領域ＭＳの面積の方が大きい。【００６２】
図３Ａおよび図３Ｂに示す例３では、内外の補強部１〜４の幅が前記実施例２よりも大きい。
図４Ａおよび図４Ｂの例４では、図４Ｂに示すように、内側のハトメ飾り７Ｍに切り欠き７Ｎが形成されて、内側のハトメ飾り７Ｍの連続性が遮断されている。【００６３】
図４Ａ−図４Ｂは、前記「補強部の幅」について別の基準を示している。すなわち、図４Ａ−図４Ｂにおいて、各補強部１〜４の幅Ｗ１０，Ｗ１１・・・Ｗ４０，Ｗ４１は、それぞれ、各中心線Ｃ１〜Ｃ４に直交する方向の幅を意味する場合を図に示している。
たとえば、第４補強部４の上端部の幅Ｗ４１は、中心線Ｃ４に平行な２本の引出線の間の距離Ｗ４１である。一方、第４補強部４の下端部の幅Ｗ４０は同中心線Ｃ４に平行な２本の引出線の間の距離Ｗ４０である。
前記外側の縁部７Ｌにおける小趾球Ｏ５の前端および外踝ＡＬの後端から前記外側面に沿って、かつ、鉛直面に沿って下した２本の仮想線の間において前記ソック５を形成する部材が露出した外側の柔領域ＬＳと、
前記内側の縁部７Ｍにおける母趾球Ｏ１の前端および内踝ＡＭの後端から前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。【００６４】
図５Ａおよび図５Ｂの例５では、図５Ｂに示すように、第３補強部３と第４補強部４との間において内側のハトメ飾り７Ｍに切り欠き７Ｎが形成されて、内側のハトメ飾り７Ｍの連続性が遮断されていると共に、第３補強部３と第４補強部４との連続性も遮断されている。【００６５】
図６Ａおよび図６Ｂの例６では、図６Ｂに示すように、内側のハトメ飾り７Ｍに複数の切り欠き７Ｎが形成されて、内側のハトメ飾り７Ｍの連続性および補強部３，４の間の連続性が遮断されている。【００６６】
つぎに、本発明の効果を検証するために行ったテストについて説明する。
まず、テストに先立って、図１２Ａおよび図１２Ｂの内外に補強材を有していない比較例の靴を用意した。更に、前記比較例のアッパーに補強材を貼り付けて、図１Ａ−図１Ｂのような試験例１、図２Ａ−図２Ｂの試験例２および図３Ａ−図３Ｂの試験例３の靴を用意した。更に、試験例２および３の内側のハトメ飾り７Ｍの一部を切り欠いて、図４Ａ−図６Ｂに示す試験例４−６の靴を用意した。【００６７】
つぎに、複数の被験者が前記各例の靴を着用し、各被験者が通常着用する際の紐締め状態、つまり図１２Ｃの仮想線で示す状態を形成した。この直後に、各被験者が通常よりもシューレースによる緊締力を大きくした図１２Ｃの実線で示す状態を形成した。これらの状態において、各例についてアッパーＵの表面の法線方向の変位量を測定し、その値を指数化した。その結果を図１３の棒グラフに示す。【００６８】
前記測定した変位量が小さいほど、着用者にとって通常の紐締め状態のフィット性能が高いと考えてよいだろう。フィット性が高い程、図１３の棒グラフでは数値が大きく表れる。【００６９】
図１３の比較例及び例１〜３から分かるように、足の外側Ｌについては、補強材の面積が大きくなるに従いフィット性能が増大する。その理由は足の外側Ｌは比較的緩やかな凹凸の小さい傾斜面で形成されており、剛性の大きい補強材が緩みなく足の外側Ｌの表面に沿うためであると推測される。【００７０】
一方、足の内側Ｍについては、比較例および例１，２から分かるように補強材の面積がある程度大きくなるに従いフィット性能が増大する。しかし、図２Ｂの例２と図３Ｂの例３とを比較すると、補強材の面積が大きくても図１３のフィット性能に殆ど変化がないことが分かる。その理由は足の内側Ｍは図２の第１中足骨Ｂ１１の骨底から舟状骨ＢＳにかけて骨が内側に突出しており、剛性の大きい補強材の面積が広すぎると、足の内側Ｍの表面に沿いにくいためであると推測される。【００７１】
なお、図１３の例２−３と例４−６との比較から、内側のハトメ飾り７Ｍが前後に分断されている方が内側Ｍのフィット性能が向上していることが分かる。【００７２】
つぎに、上述のテスト結果を踏まえながら他の例について言及する。
図７Ｂ−図９Ｂの例では足の内外において、１つの補強部１〜４の一部に貫通孔が形成されて、ソック５が露出した小さい柔領域ＳＳが設けられている。これらの場合、更なる軽量化が可能であろう。しかし、フィット性能に若干の変化が生じるかもしれない。【００７３】
１つの補強部１〜４の一部に貫通孔が形成されて柔領域ＳＳが存在する場合、前記幅Ｗ１０・・・Ｗ４１をどのように解するべきかについて説明する。【００７４】
図７Ｂのように、柔領域ＳＳが下端部に設けられている場合、実質的な下端部の幅はＷ３０，Ｗ４０よりも小さくなるであろう。この場合、下端部の幅Ｗ３０，幅Ｗ４０は、前端のライン３０，４０と後端のライン３１，４１とを基準に決定されるべきである。【００７５】
図８Ｂのように、柔領域ＳＳが上端部に設けられ、前記柔領域ＳＳが比較的小さい場合、実質的な上端部の幅はＷ３１，Ｗ４１よりも小さくなるかもしれない。しかし、柔領域ＳＳが小さい場合には、シューレース６の緊締力が内外のハトメ飾り７Ｍ，７Ｌおよび補強部３，４を介してソール８に局部的に作用するであろう。【００７６】
この場合、上端部の幅Ｗ３１，幅Ｗ４１は、前端のライン３０，４０と後端のライン３１，４１とを基準に決定されるべきである。【００７７】
図９Ｂの例では、各補強部３，４が、前後一対の一定幅のテープ材を略Ｖ字に配置したように形成され、柔領域ＳＳが上端部から下端部にわたって形成されている。【００７８】
この場合においても、シューレース６の緊締力がどのように作用するかにより判断すべきである。すなわち、図９Ｂにおいて、各補強部３，４の最上端は、内側のハトメ飾り７Ｍよりも下方に向かって狭まる部位３２，４２を有している。そのため、シューレース６の緊締力は前記ハトメ飾り７Ｍから前記各部位３２，４２を介して一定幅の補強部３，４に作用するであろう。
したがって、この場合も、上下端部の幅Ｗ３０，Ｗ３１，Ｗ４０，Ｗ４１は、前端のライン３０，４０と後端のライン３１，４１とを基準に決定されるべきである。【００７９】
図９Ａの例では、外側の第１補強部、第２補強部１,２の下端部に切り欠きが形成されて、小さい柔領域ＳＳが設けられている。また、第１補強部１と第２補強部２とは上端部および上下の中央部で互いに前後に連なっている。【００８０】
この場合、前部の外側のハトメ飾り７Ｌに係合するシューレース６は第１補強部１を介してアッパーＵに緊締力を伝えるだろう。一方、後部の外側のハトメ飾り７Ｌに係合するシューレース６は第２補強部２を介してアッパーＵに緊締力を伝えるだろう。【００８１】
すなわち、第１補強部１と第２補強部２とは互いに上端部において連なっていてもよく、少なくとも下端部において前後に互いに分離していればよい。【００８２】
この場合、第１補強部１と第２補強部２とを分離する仮想のラインＶＬ２を設定し、前記図９Ｂと同様の方法で幅Ｗ１０，Ｗ１１，Ｗ２０，Ｗ２１が決定されるべきであろう。【００８３】
図８Ａにおいて、第１補強部１と第２補強部２とは互いに前後に完全に連なっている。しかし、足の外側Ｌにおいては、前記図１３の結果から分かるように、フィット性能が向上するかもしれない。本例の場合、第１補強部１と第２補強部２とが互いに連なっていても、図８Ｂの第３補強部３は上端部の幅Ｗ３１に比べ下端部の幅Ｗ３０が小さく、したがって、本発明に含まれる。【００８４】
以上の例では、内外のハトメ飾り７Ｍ，７Ｌが設けられている領域について述べた。しかし、アッパーＵの爪先部や踵部には、図１０Ａや図１０Ｂに示すような補強材５１〜５４やヒールカウンタが設けられている場合が多い。このような場合、各補強部１〜４の前端および後端のラインは、仮想線ＶＬ３で示すように、一部のラインを延長して設定されるべきである。【００８５】
図１４Ａおよび図１４Ｂの例はヒールカウンタ９を備えている。これらの図において、補強部１〜４には規則正しいドットが付され、一方、ヒールカウンタ９にはハッチングが施されて図示されている。この例の場合、前方の第１および第３補強部１，３はミッドソール８１まで延びている。図１４Ａの第２補強部２はミッドソール８１またはヒールカウンタ９まで延びている。図１４Ｂの第４補強部４はミッドソール８１まで延びておらず、ヒールカウンタ９まで延びている。
なお、第２および／または第４補強部２，４はヒールカウンタ９とソック５との間に挟まれた状態でミッドソール（ソール）８１まで延びていてもよい。【００８６】
この例においては、図１４Ａの第１および第２補強部１，２がループ状に形成されている。また、図１４Ｂの第３および第４補強部３，４がループ状に形成されている。【００８７】
本例のように、補強部がループ状に形成されている場合、ハトメ飾り７Ｌ，７Ｍに沿って前後方向に延びる上縁とソール又はヒールカウンタ９に沿って前後方向に延びる下縁を除いて上端部および下端部の幅が決定されるべきである。【００８８】
本例の場合、ループ状の伸び難い補強部１〜４には、着用中に生じる外力では実質的に全く伸びないテープ材Ｔが積層されていてもよい。【００８９】
なお、ヒールカウンタ９は剛性の小さい人工皮革のベース９Ｂの上に、前記ベース９Ｂよりも剛性の大きい樹脂層９Ｐが接着されて積層されていてもよい。また、ミッドソール８１は本例のように複数層であってもよい。【００９０】
以上のとおり、図面を参照しながら好適な実施例を説明したが、当業者であれば本明細書を見て、自明な範囲で種々の変更および修正を容易に想定するであろう。
たとえば、アッパーの下に配置されるソールは、アウトソールのみを有していてもよい。アッパーはローカットタイプではなく、ハイカットタイプであってもよい。
また、各補強材は貼付、接着及び／又は縫合のいずれでソックに固着されていてもよい。
したがって、そのような変更および修正は、請求の範囲から定まる本発明の範囲内のものと解釈される。
【産業上の利用可能性】
【００９１】
本発明はシューレースを用いた紐締め構造を有する靴の他にシューレースやベルトなどの締付部材による締付構造を有する靴に適用できる。
【符号の説明】
【００９２】
１：第１補強部
２：第２補強部  ２Ｅ：下端  ２０：前端のライン  ２１：後端のライン
３：第３補強部  ３０：前端のライン  ３１：後端のライン
４：第４補強部  ４Ｅ：下端  ４０：前端のライン  ４１：後端のライン
Ｔ：テープ材
５：ソック  ５Ｅ：縁  ５０：開口
６：シューレース
７Ｌ：外側のハトメ飾り  ７Ｍ：内側のハトメ飾り  ７Ｎ：切り欠き
８：ソール  ８０：アウトソール  ８１：ミッドソール
９：ヒールカウンタ
ＬＳ，ＭＳ，ＳＳ：柔領域
ＢＣ：踵骨  ＢＳ：舟状骨  Ｂ５０：第５基節骨  Ｂ５１：第５中足骨
Ｏ１：母趾球
Ｃ１〜Ｃ４：中心線
Ｆ：前方  Ｒ：後方
Ｋ１〜Ｋ４：角
Ｕ：アッパー  ＶＬ：仮想線
Ｗ１０，Ｗ１１，Ｗ２０，Ｗ２１，Ｗ３０，Ｗ３１，Ｗ４０，Ｗ４１：幅
【図１】
2015151195.tif 000003
【図２】
2015151195.tif 000004
【図３】
2015151195.tif 000005
【図４】
2015151195.tif 000006
【図５】
2015151195.tif 000007
【図６】
2015151195.tif 000008
【図７】
2015151195.tif 000009
【図８】
2015151195.tif 000010
【図９】
2015151195.tif 000011
【図１０】
2015151195.tif 000012
【図１１】
2015151195.tif 000013
【図１２】
2015151195.tif 000014
【図１３】
2015151195.tif 000015
【図１４】
2015151195.tif 000016
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さく、
前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さい、靴のアッパー。
【請求項２】
請求項１のアッパーにおいて、
前記第３補強部３の延びる方向に沿った中心線Ｃ３は、前記ソール８に向かって斜め後方の下方に延びている、アッパー。
【請求項３】
請求項１もしくは２のアッパーにおいて、
前記第３補強部３の延びる方向に沿った中心線Ｃ３と前記水平線のなす角Ｋ３よりも前記第４補強部４の中心線Ｃ４と前記水平線のなす角Ｋ４の方が小さい、アッパー。
【請求項４】
請求項１，２もしくは３のアッパーにおいて、
前記第４補強部４の後端のライン４１が前記第２補強部２の後端のライン２１よりも前傾しており、
前記第４補強部４の後端のライン４１の下端４Ｅが、前記第２補強部２の後端のライン２１の下端２Ｅよりも後方に配置され、
前記第４補強部４が踵骨ＢＣの下部の前部を側面から覆う、アッパー。
【請求項５】
請求項１，２，３もしくは４のアッパーにおいて、
前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい、アッパー。
【請求項６】
請求項１〜５のいずれか１項において、
前記第３補強部３は幅を有し、前記第３補強部３の上端部の幅Ｗ３１に比べ第３補強部３の下端部の幅Ｗ３０が小さい、アッパー。
【請求項７】
請求項１〜６のいずれか１項において、
前記第２補強部２は幅を有し、前記第２補強部２の上端部の幅Ｗ２１に比べ第２補強部２の下端部の幅Ｗ２０が小さい、アッパー。
【請求項８】
請求項１〜７のいずれか１項において、
前記第１補強部１は幅を有し、前記第１補強部１の上端部の幅Ｗ１１に比べ第１補強部１の下端部の幅Ｗ１０が小さい、アッパー。
【請求項９】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記外側の縁部７Ｌにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した外側の柔領域ＬＳと、
前記内側の縁部７Ｍにおける前記複数の孔Ｈのうち最も前方Ｆおよび後方Ｒの孔Ｈから前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい、靴のアッパー。
【請求項１０】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さく、
前記第４補強部４の後端のライン４１が前記第２補強部２の後端のライン２１よりも前傾しており、
前記第４補強部４の後端のライン４１の下端４Ｅが、前記第２補強部２の後端のライン２１の下端２Ｅよりも後方に配置され、
前記第４補強部４が踵骨ＢＣの下部の前部を側面から覆う、靴のアッパー。
【請求項１１】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さく、
前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい、靴のアッパー。
【請求項１２】
請求項１１のアッパーにおいて、
前記第４補強部４の後端のライン４１が前記第２補強部２の後端のライン２１よりも前傾しており、
前記第４補強部４の後端のライン４１の下端４Ｅが、前記第２補強部２の後端のライン２１の下端２Ｅよりも後方に配置され、
前記第４補強部４が踵骨ＢＣの下部の前部を側面から覆う、アッパー。
【請求項１３】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さく、
前記第３補強部３の前記幅は前記第３補強部３の上端部に比べ下端部が小さく、
前記第２補強部２の前記幅は前記第２補強部２の上端部に比べ下端部が小さく、
前記第１補強部１の前記幅は前記第１補強部１の上端部に比べ下端部が小さく、
前記外側面の前記第１補強部１と前記第２補強部２との間において前記ソック５を形成する部材が露出した外側の柔領域ＬＳの面積に比べ、
前記内側面の前記第３補強部３と前記第４補強部４との間において前記ソック５を形成する部材が露出した内側の柔領域ＭＳの面積の方が大きい、靴のアッパー。
【請求項１４】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さく、
前記第４補強部４の延びる方向に沿った中心線Ｃ４は、前記ソール８に向かって斜め後方の下方に延び、前記第１及び第２補強部１，２の各々の延びる方向に沿った中心線Ｃ１，Ｃ２と水平線のなす角Ｋ１及びＫ２よりも前記第４補強部４の前記中心線Ｃ４と前記水平線のなす角Ｋ４の方が小さく、
前記第４補強部４の後端のライン４１が前記第２補強部２の後端のライン２１よりも前傾しており、
前記第４補強部４の後端のラインの下端４Ｅが、前記第２補強部２の後端のライン２１の下端２Ｅよりも後方に配置され、
前記第４補強部４が踵骨ＢＣの下部の前部を覆う、靴のアッパー。
【請求項１５】
請求項１〜１４のいずれか１項のアッパーにおいて、
前記複数の孔Ｈは足の外側および内側のそれぞれについて４個以上設けられ、
前記外側または内側の前記４個以上の孔Ｈのうち複数の孔Ｈに対峙するように、前記各補強部１〜４の上端部の幅が設定されている。
【請求項１６】
靴のアッパーであって、
ソック５と、
前記ソック５の開口５０の外側および内側の縁５Ｅにそれぞれ配置され前記ソック５を形成する部材よりも伸び難く、シューレース６が通る複数の孔Ｈを定義する外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記外側の縁部７Ｌにおける小趾球の前端および外踝の後端から前記外側面に沿って、かつ、鉛直面に沿って下した２本の仮想線の間において前記ソック５を形成する部材が露出した外側の柔領域ＬＳと、
前記内側の縁部７Ｍにおける母趾球の前端および内踝の後端から前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい、靴のアッパー。
【請求項１７】
請求項１６のアッパーにおいて、
前記内側の少なくとも１つの補強材は、舟状骨ＢＳの少なくとも一部を側面から覆う第４補強部４を更に備え、
前記第４補強部４は幅を有し、前記第４補強部４の上端部の幅Ｗ４１に比べ第４補強部４の下端部の幅Ｗ４０が小さい、アッパー。
【請求項１８】
靴のアッパーであって、
ソック５と、
前記ソック５の足幅方向の中央寄りの縁５Ｅにそれぞれ配置され前記ソック５を形成する部材よりも伸び難い外側および内側の縁部７Ｌ，７Ｍと、
前記ソック５を形成する部材よりも伸び難く前記ソック５の外側面に付着し前記外側の縁部７Ｌからソール８またはヒールカウンタ９まで延びる外側Ｌの少なくとも１つの補強材と、
前記ソック５を形成する部材よりも伸び難く前記ソック５の内側面に付着し前記内側の縁部７Ｍからソール８またはヒールカウンタ９まで延びる内側Ｍの少なくとも１つの補強材とを備え、
前記外側Ｌの少なくとも１つの補強材は、第５基節骨Ｂ５０の少なくとも一部を側面から覆う第１補強部１と、第５中足骨Ｂ５１の骨体もしくは骨底の少なくとも一部を側面から覆う第２補強部２とを包含し、
前記内側Ｍの少なくとも１つの補強材は、母趾球Ｏ１の少なくとも一部を側面から覆う第３補強部３を包含し、
前記複数の補強部のうち少なくとも１つの補強部の幅は前記当該補強部の上端部に比べ下端部が小さく、
前記外側の縁部７Ｌにおける小趾球の前端および外踝の後端から前記外側面に沿って、かつ、鉛直面に沿って下した２本の仮想線の間において前記ソック５を形成する部材が露出した外側の柔領域ＬＳと、
前記内側の縁部７Ｍにおける母趾球の前端および内踝の後端から前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい、靴のアッパー。
【手続補正２】
【補正対象書類名】明細書
【補正対象項目名】００１７
【補正方法】変更
【補正の内容】
【００１７】
好ましくは、前記外側の縁部７Ｌにおける前記複数の孔Ｈのうち最も前方Ｆおよび後方Ｒの孔Ｈから前記外側面に沿って、かつ、鉛直面に沿って下した２本の仮想線の間において前記ソック５を形成する部材が露出した外側の柔領域ＬＳと、
前記内側の縁部７Ｍにおける前記複数の孔Ｈのうち最も前方Ｆおよび後方Ｒの孔Ｈから前記内側面に沿って、かつ、鉛直面に沿って下した２本の仮想線の間において前記ソック５を形成する部材が露出した内側の柔領域ＭＳとを備え、
前記外側の柔領域ＬＳの面積に比べ前記内側の柔領域ＭＳの面積の方が大きい。
【国際調査報告】
2015151195.tif 000017
2015151195.tif 000018
2015151195.tif 000019
2015151195.tif 000020